(57)【要約】【課題】ジェルネイルが垂れ落ちるのを防止し、簡単にジェルネイルの形を整えることができるようにすること。【解決手段】  ネイルフォーム１００を爪が開口部２から露出するように指に巻く。そして、指の先端でネイルフォーム１００の端部５を互いに貼り付け、ジェルネイルを爪及びネイルフォーム１００の支持領域３の上に塗布する。このとき、前記壁部４により規制されてジェルネイルが支持領域３から外に流れ出るのが阻止されるので、ユーザはジェルネイルの形状を整えることに注力しなくても、簡単にきれいなＣ形状を形作ることができる。最後に、ジェルネイルに紫外線を照射してジェルネイルを固化する。【選択図】図１
2011167315.tif 000002
【特許請求の範囲】
【請求項１】
略中央に爪を露出させる開口部を有し、当該開口部の先端側のジェルネイルの支持領域の周囲には環状の壁部が設けられていることを特徴とするネイルフォーム。
【請求項２】
更に、前記壁部が、多数の切込部を有することを特徴とする請求項１に記載のネイルフォーム。
【請求項３】
更に、前記壁部が、所定間隔で連続的に設けた多数の突起部により構成されていることを特徴とする請求項１に記載のネイルフォーム。
【発明の詳細な説明】
【技術分野】
【０００１】
本発明は、ジェルネイルの土台として用いるネイルフォームに関するものである。
【背景技術】
【０００２】
一般的なネイルフォームは剥離紙の上に楕円形の開口部を有する構造である。ネイルフォームを使用する場合、まず剥離紙からネイルフォームを剥がし、開口部の形状をユーザの爪先の形に切断する。続いて前記開口部の端縁を爪と指との間に入れると共にユーザの爪を開口部から完全に露出させ、ネイルフォームを指に巻く。そして、指の先端でネイルフォームの端部を互いに貼り付ける。この状態で、ジェルネイルを爪及びネイルフォームの上に塗布し、先端をＣ形に整える。最後に、紫外線を照射してジェルネイルを固化する。このような一般的な使用方法としては、下記非特許文献１に開示の技術が知られている。
【先行技術文献】
【特許文献】
【０００３】
【非特許文献１】株式会社ライブドア、ヘルスビューティ、コスメ、［online］、［平成22年2月12日検索］、インターネット〈URL：http://blog.livedoor.jp/nailmarket_howto/archives/51371140.html〉
【発明の概要】
【発明が解決しようとする課題】
【０００４】
しかしながら、自分でジェルネイルを行う場合、ジェルネイルを塗布して所定の形状に整えるのは困難であるという問題点があった。また、塗布したジェルネイルがネイルフォームから垂れ落ちてしまうという問題点があった。この発明はかかる問題点を解決するためになされたものである。
【課題を解決するための手段】
【０００５】
そこで、本発明のネイルフォームは、略中央に爪を露出させる開口部を有し、当該開口部の先端側のジェルネイルの支持領域の周囲には環状の壁部が設けられていることを特徴とする。
【０００６】
また、本発明のネイルフォームは、上記発明において、更に、前記壁部が、多数の切込部を有することを特徴とする。
【０００７】
また、本発明のネイルフォームは、上記発明において、更に、前記壁部が、所定間隔で連続的に設けた多数の突起部により構成されていることを特徴とする。
【図面の簡単な説明】
【０００８】
【図１】この発明の実施の形態１にかかるネイルフォームを示す平面図である。
【図２】図１のＡ−Ａ断面図である。
【図３】図１のＢ−Ｂ断面図である。
【図４】このネイルフォームの使用状態を示す説明図である。
【図５】このネイルフォームの使用状態を示す説明図である。
【図６】このネイルフォームの使用状態を示す説明図である。
【図７】この発明の実施の形態２にかかるネイルフォームを示す断面図である。
【図８】この発明の実施の形態２にかかるネイルフォームを示す断面図である。
【図９】この発明の実施の形態３にかかるネイルフォームを示す平面図である。
【図１０】図９のＡ−Ａ断面図である。
【図１１】図９のＢ−Ｂ断面図である。
【図１２】このネイルフォームの使用状態を示す説明図である。
【発明を実施するための形態】
【０００９】
（実施の形態１）
図１は、この発明の実施の形態１にかかるネイルフォームを示す平面図である。図２は、図１のＡ−Ａ断面図である。図３は図１のＢ−Ｂ断面図である。このネイルフォーム１００は、剥離紙上に貼り付けられた逆台形のプラスチック製の本体１からなり、その中央には爪を露出するための開口部２が設けられている。開口部２の先端側はジェルネイルを載せる支持領域３となる。ネイルフォーム上の支持領域３の周囲には、ジェルネイルを整形するための壁部４が環状に連続的に形成されている。また、当該壁部４は、先端側４ａがＣ形状であり、当該壁部４の両端側４ｂは開口部２の両側に沿って設けられている。壁部４の高さは０．５ｍｍ以上１．５ｍｍ以下であり、ネイルフォーム１００を打ち抜く際に同時に形成する。
【００１０】
次に、このネイルフォーム１００の使用方法を説明する。図４乃至図６は、このネイルフォームの使用状態を示す説明図である。ネイルフォーム１００を剥離紙から剥がし、支持領域３の端縁３ａをユーザの爪先の形に切断する。続いて支持領域３の端縁３ａを爪と指との間に入れると共にユーザの爪を開口部２から完全に露出させつつ、ネイルフォーム１００を指に巻く。この状態で、壁部４の先端側４ａは、図６に示すように、ネイルフォーム１００と共に湾曲する。そして、指の先端でネイルフォーム１００の端部５を互いに貼り付け、ジェルネイルを爪及びネイルフォーム１００の支持領域３の上に塗布する。
【００１１】
このとき、前記壁部４によりジェルネイルが支持領域３から外に流れ出るのが阻止される。換言すれば、壁部４によりジェルネイルの形状が規定され、ユーザはジェルネイルの形状を整えることに注力しなくても、簡単にきれいなＣ形状を形作ることができる。最後に、ジェルネイルを塗布した指をネイルフォーム１００ごと紫外線照射装置に入れ、紫外線を照射してジェルネイルを固化する。その後、ネイルフォーム１００を指から取り除く。ユーザは必要によりジェルネイルの形状をヤスリ等で微調整する。
【００１２】
以上、このネイルフォーム１００によれば、ジェルネイルを塗布する際に壁部４が防波堤のようになり、ジェルネイルが爪及びネイルフォーム１００から垂れ落ちるのを防ぐことができる。また、壁部４によりジェルネイルの形状をきれいに整えることができる。なお、ネイルフォーム１００は紙製でも良い。
【００１３】
（実施の形態２）
図７及び図８は、この発明の実施の形態２にかかるネイルフォームを示す断面図である。この実施の形態２にかかるネイルフォーム２００は、実施の形態１に示したネイルフォーム１００と略同じ構造であるが、壁部４に複数の切込部６を設けた点が異なる。その他の構造は実施の形態１と同様であるからその説明を省略する。このネイルフォーム２００は、図７に示すように、前記壁部４に多数の切込部６が設けられ、ネイルフォーム２００を指に巻きつけた際にこの切込部６が開くようになっている（図８参照）。このため、ネイルフォーム２００に壁部４を設けてもネイルフォーム２００を指に巻きつける際に容易に曲げることが出来る。なお、ジェルネイルはその表面張力により切込部６と切込部６との間から流出することはない。
【００１４】
(実施の形態３)
図９は、この発明の実施の形態３にかかるネイルフォームを示す平面図である。図１０は、図９のＡ−Ａ断面図である。図１１は図９のＢ−Ｂ断面図である。この実施の形態３にかかるネイルフォーム３００は、実施の形態１に示したネイルフォーム１００と略同じ構造であるが、壁部４を多数の突起部７で構成した点が異なる。その他の構造は実施の形態１と同様であるからその説明を省略する。このネイルフォーム３００は、前記壁部４が所定間隔で連続的に設けた多数の突起部７により構成されている。このため、ネイルフォーム３００を指に巻きつける際、図１２に示すように、突起部７と突起部７との間が広がるので当該壁部４を設けてもネイルフォーム３００を容易に曲げることができる。更に、ジェルネイルはその表面張力により突起部７と突起部７との間から流出することはない。
【符号の説明】
【００１５】
１００  ネイルフォーム
１  本体
２  開口部
３  支持領域
４  壁部
【図１】
2011167315.tif 000003
【図２】
2011167315.tif 000004
【図３】
2011167315.tif 000005
【図６】
2011167315.tif 000006
【図８】
2011167315.tif 000007
【図９】
2011167315.tif 000008
【図４】
2011167315.tif 000009
【図５】
2011167315.tif 000010
【図７】
2011167315.tif 000011
【図１０】
2011167315.tif 000012
【図１１】
2011167315.tif 000013
【図１２】
2011167315.tif 000014